【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  駆動ユニットを構成する独立駆動可能な複数のアクチュエータの駆動に応じてノズルからインク液滴を吐出するインクジェットヘッドにおいて、複数のアクチュエータをベース部材上に配設してなる駆動部材を、共通液室が形成されたフレーム部材のアクチュエータ収納部に、前記ベース部材の外面と前記フレーム部材の内面との間に適宜寸法の隙間を形成した状態で収納し、該隙間に接着剤を充填してベース部材をフレーム部材に接合することにより、前記駆動ユニットを構成したことを特徴とするインクジェットヘッド。
【請求項２】  接着剤が紫外線硬化型嫌気性接着剤であることを特徴とする請求項１に記載のインクジェットヘッド。
【請求項３】  接着剤で接合されたベース部材の前記外面とフレーム部材の前記内面の少なくとも一方が、金属材料からなることを特徴とする請求項２に記載のインクジェットヘッド。
【請求項４】  ベース部材の前記外面の端部、フレーム部材の前記内面の端部の少なくとも一方に面取り加工を施すことにより、前記ベース部材外面・前記フレーム部材内面間の前記隙間の端部を拡開したことを特徴とする請求項１〜３のいずれかに記載のインクジェットヘッド。
【請求項５】  駆動部材が、ベース部材上にアクチュエータ列を２列以上、配置・接合して構成されていることを特徴とする請求項１〜４のいずれかに記載のインクジェットヘッド。
【請求項６】  前記ベース部材外面、前記フレーム部材内面の少なくとも一方に凹部を形成し、該凹部に接着剤を充填したことを特徴とする請求項１〜５のいずれかに記載のインクジェットヘッド。
【請求項７】  前記ベース部材外面・前記フレーム部材内面間の前記隙間の大きさが、駆動部材の外面と前記フレーム部材内面の延長部との隙間の大きさより小さいことを特徴とする請求項１〜６のいずれかに記載のインクジェットヘッド。
【請求項８】  アクチュエータが、印加電圧に応じて物理的な変形を生じる圧電素子であることを特徴とする請求項１〜７のいずれかに記載のインクジェットヘッド。
【請求項９】  請求項１に記載のインクジェットヘッドを構成する駆動ユニットを組み立てるに際し、駆動部材を前記アクチュエータ収納部内に、ベース部材外面・フレーム部材内面間に適宜寸法の隙間を形成した状態で位置決め・収納し、前記隙間に接着剤を充填してベース部材をフレーム部材に接合することにより、駆動部材をフレーム部材に固着することを特徴とするインクジェットヘッドの製造方法。
【請求項１０】  記録信号に応じて駆動されるアクチュエータが発生する駆動エネルギに応じてノズルからインク液滴を吐出して記録媒体上に画像を記録するインクジェット記録装置において、請求項１〜８のいずれかに記載のインクジェットヘッドを少なくとも１つ備えたヘッドユニットと、該ヘッドユニットに少なくとも１色のインク液を供給するインク室形成部材を備えていることを特徴とするインクジェット記録装置。
【請求項１１】 請求項１０に記載のインクジェット記録装置を備えたことを特徴とする画像形成装置。
【手続補正２】
【補正対象書類名】明細書
【補正対象項目名】０００４
【補正方法】変更
【補正の内容】
【０００４】
【発明が解決しようとする課題】
本発明は、従来技術の上記問題点に鑑みなされてもので、第１の目的は、それほど高精度な部品を用いることなく構成され、高速印字に対応できるインクジェットヘッドを提供することにある（下記請求項１〜８）。
本発明の第２の目的は、上記ヘッドの製造方法を提供すること、すなわち構成部品、特に成形部品等の位置決めを適宜の装置で行うことで、構成部品の要求精度を緩和（部品コストの低減）することである（下記請求項９）。
本発明の第３の目的は、上記ヘッドを備えたインクジェット記録装置を提供することである（下記請求項１０）。
本発明の第４の目的は、上記インクジェット記録装置を備えた画像形成装置を提供することである（下記請求項１１）。
【手続補正３】
【補正対象書類名】明細書
【補正対象項目名】０００５
【補正方法】変更
【補正の内容】
【０００５】
【課題を解決するための手段】
上記第１の目的達成のため請求項１に係る発明は、駆動ユニットを構成する独立駆動可能な複数のアクチュエータの駆動に応じてノズルからインク液滴を吐出するインクジェットヘッドにおいて、複数のアクチュエータをベース部材上に配設してなる駆動部材を、共通液室が形成されたフレーム部材のアクチュエータ収納部に、前記ベース部材の外面と前記フレーム部材の内面との間に適宜寸法の隙間を形成した状態で収納し、該隙間に接着剤を充填してベース部材をフレーム部材に接合することにより、前記駆動ユニットを構成したことを特徴とするインクジェットヘッドである。本発明によれば、接着剤による接合面以外、それほど高精度な部品を用いることなく、高速印字に対応できるインクジェットヘッドを提供することができる。
【手続補正４】
【補正対象書類名】明細書
【補正対象項目名】００１４
【補正方法】変更
【補正の内容】
【００１４】
上記第３の目的達成のため請求項１０に係る発明は、記録信号に応じて駆動されるアクチュエータが発生する駆動エネルギに応じてノズルからインク液滴を吐出して記録媒体上に画像を記録するインクジェット記録装置において、請求項１〜８のいずれかに記載のインクジェットヘッドを少なくとも１つ備えたヘッドユニットと、該ヘッドユニットに少なくとも１色のインク液を供給するインク室形成部材を備えていることを特徴とするインクジェット記録装置である。本発明では、位置精度の高いインクジェットヘッドを記録装置に搭載することで、高速印字に対応できるうえ、インク液滴の吐出性能に優れた記録装置を安価に提供することができる。
さらに、上記第４の目的達成のため請求項１１に係る発明は、請求項１０に記載のインクジェット記録装置を備えたことを特徴とする画像形成装置である。
【手続補正５】
【補正対象書類名】明細書
【補正対象項目名】００４０
【補正方法】変更
【補正の内容】
【００４０】
【発明の効果】
以上の説明で明らかなように、本発明によれば以下の効果が得られる。
（１）請求項１，９の発明による効果
請求項１の発明に係るインクジェットヘッドおよび、請求項９に係るインクジェットヘッドの製造方法では、ベース部材・フレーム部材間にベース部材の移動用空間を形成し、この空間内でベース部材を適宜に移動させて高精度な位置決めを行い、この位置決め状態でベース部材をフレーム部材に、これらの間に形成された隙間に接着剤を充填することで接合するように構成したので、それほど高精度な部品を用いることなく、高速印字に対応できるインクジェットヘッドを提供することができる。
【手続補正６】
【補正対象書類名】明細書
【補正対象項目名】００４３
【補正方法】変更
【補正の内容】
【００４３】
（９）請求項１０、請求項１１の発明による効果
本発明のインクジェット記録装置では、請求項１〜８のいずれかに係る、位置精度の高いインクジェットヘッドを少なくとも１つ備えたヘッドユニットと、該ヘッドユニットに少なくとも１色のインク液を供給するインク室形成部材を備えているので高速印字に対応できるうえ、インク液滴の吐出性能に優れ、良好な記録性能を有する記録装置を安価に提供することができる。
さらに、請求項１１の発明に係る画像形成装置は、請求項１０に記載のインクジェット記録装置を備えているから、この記録装置が有する優れた機能を発揮することができるものである。